(57)【要約】【課題】表示装置から視聴者までの距離によって音の聴きやすさが異なるという課題を解決する。【解決手段】本発明の一態様は、画像の切り取り範囲を設定する設定部と、前記設定部によって設定された前記範囲を示す範囲情報を記憶する記憶部と、入力画像に対して前記記憶部が記憶する前記範囲情報に基づく切り取り処理とスケーリング処理とを実行する画像処理部と、前記画像処理部によって画像処理された画像を表示する表示部と、音を出力する音出力部と、前記音出力部から複数チャネルの音信号に基づく音を出力する際に、前記記憶部が記憶する前記範囲情報に基づいて、出力する１または複数のチャネルを選択するとともに出力時の音量を決定する制御部とを備える表示装置である。【選択図】図１
2018037754.tif 000002
【特許請求の範囲】
【請求項１】
画像の切り取り範囲を設定する設定部と、
前記設定部によって設定された前記範囲を示す範囲情報を記憶する記憶部と、
入力画像に対して前記記憶部が記憶する前記範囲情報に基づく切り取り処理とスケーリング処理とを実行する画像処理部と、
前記画像処理部によって画像処理された画像を表示する表示部と、
音を出力する音出力部と、
前記音出力部から複数チャネルの音信号に基づく音を出力する際に、前記記憶部が記憶する前記範囲情報に基づいて、出力する１または複数のチャネルを選択するとともに出力時の音量を決定する制御部と
を備える表示装置。
【請求項２】
前記記憶部が、前記音出力部の設置高さを算出するための高さ算出情報をさらに記憶し、
前記制御部が、前記音出力部から複数チャネルの音信号に基づく音を出力する際に、前記記憶部が記憶する前記範囲情報に基づいて、出力する１または複数のチャネルを選択するとともに、前記記憶部が記憶する前記範囲情報と前記記憶部が記憶する前記高さ算出情報とを用いて算出された前記設置高さに基づいて出力時の音量を決定する
請求項１に記載の表示装置。
【請求項３】
前記記憶部が、対象とする視聴者の視聴態様を示す視聴態様情報をさらに記憶し、
前記制御部が、前記音出力部から複数チャネルの音信号に基づく音を出力する際に、前記記憶部が記憶する前記範囲情報に基づいて、出力する１または複数のチャネルを選択するとともに、前記記憶部が記憶する前記範囲情報と前記記憶部が記憶する前記高さ算出情報とを用いて算出された前記設置高さと前記記憶部が記憶する前記視聴態様情報とに基づいて出力時の音量を決定する
請求項２に記載の表示装置。
【請求項４】
請求項１から３のいずれか１項に記載の表示装置を複数台備える
マルチディスプレイシステム。
【請求項５】
画像の切り取り範囲を設定する設定部と、
前記設定部によって設定された前記範囲を示す範囲情報を記憶する記憶部と、
入力画像に対して前記記憶部が記憶する前記範囲情報に基づく切り取り処理とスケーリング処理とを実行する画像処理部と、
前記画像処理部によって画像処理された画像を表示する表示部と、
音を出力する音出力部と、
前記音出力部を制御する制御部と
を備える表示装置を制御する方法であって、
前記制御部によって、前記音出力部から複数チャネルの音信号に基づく音を出力する際に、前記記憶部が記憶する前記範囲情報に基づいて、出力する１または複数のチャネルを選択するとともに出力時の音量を決定する
表示装置の制御方法。
【請求項６】
画像の切り取り範囲を設定する設定部と、
前記設定部によって設定された前記範囲を示す範囲情報を記憶する記憶部と、
入力画像に対して前記記憶部が記憶する前記範囲情報に基づく切り取り処理とスケーリング処理とを実行する画像処理部と、
前記画像処理部によって画像処理された画像を表示する表示部と、
音を出力する音出力部と、
前記音出力部を制御する制御部と
を備える表示装置を制御するためのプログラムであって、
前記制御部によって、前記音出力部から複数チャネルの音信号に基づく音を出力する際に、前記記憶部が記憶する前記範囲情報に基づいて、出力する１または複数のチャネルを選択するとともに出力時の音量を決定する処理を実行させる
プログラム。
【発明の詳細な説明】
【技術分野】
【０００１】
本発明は、表示装置、マルチディスプレイシステム、表示装置の制御方法およびプログラムに関する。
【背景技術】
【０００２】
簡単に大画面を提供するシステムとして、複数のディスプレイ（表示装置）を配置して１つの大きな表示画面を構成するマルチディスプレイシステムが知られている。このシステムはスピーカーが内蔵された汎用ディスプレイにより構成することもできる（例えば特許文献１）。
【０００３】
しかし、マルチディスプレイシステムを構成した状態で各々の汎用ディスプレイに設置された内蔵スピーカーからそのままステレオ音声を出力すると、左右の音が混ざり合ってしまい、ステレオ音声とはならず不自然に聞こえる。この課題に対し、特許文献１に記載されているマルチディスプレイシステムでは、配置位置に応じて各ディスプレイで左または右チャネルをミュートすることで違和感なくステレオ音声が再生される。
【先行技術文献】
【特許文献】
【０００４】
【特許文献１】特開２０１６−５８８７３号公報
【発明の概要】
【発明が解決しようとする課題】
【０００５】
ところで、マルチディスプレイシステムは通常複数の人が滞在する公共の場所等にて使用される。マルチディスプレイから放射される音声はディスプレイに近い人は音量がうるさく聞こえ、ディスプレイから離れた人は前方の人が遮音物となり聞こえにくい状況となる。しかしながら、特許文献１に記載されているマルチディスプレイシステムでは、左右のチャネルを各ディスプレイで選択的に再生するだけなので、このディスプレイから視聴者までの距離によって音の聴きやすさが異なるという課題を解決することはできなかった。
【０００６】
本発明の目的は、上述した課題を解決する表示装置、マルチディスプレイシステム、表示装置の制御方法およびプログラムを提供することにある。
【課題を解決するための手段】
【０００７】
本発明の一態様は、画像の切り取り範囲を設定する設定部と、前記設定部によって設定された前記範囲を示す範囲情報を記憶する記憶部と、入力画像に対して前記記憶部が記憶する前記範囲情報に基づく切り取り処理とスケーリング処理とを実行する画像処理部と、前記画像処理部によって画像処理された画像を表示する表示部と、音を出力する音出力部と、前記音出力部から複数チャネルの音信号に基づく音を出力する際に、前記記憶部が記憶する前記範囲情報に基づいて、出力する１または複数のチャネルを選択するとともに出力時の音量を決定する制御部とを備える表示装置である。
【０００８】
また、本発明の一態様は、上記表示装置を複数台備えるマルチディスプレイシステムである。
【０００９】
また、本発明の一態様は、画像の切り取り範囲を設定する設定部と、前記設定部によって設定された前記範囲を示す範囲情報を記憶する記憶部と、入力画像に対して前記記憶部が記憶する前記範囲情報に基づく切り取り処理とスケーリング処理とを実行する画像処理部と、前記画像処理部によって画像処理された画像を表示する表示部と、音を出力する音出力部と、前記音出力部を制御する制御部とを備える表示装置を制御する方法であって、前記制御部によって、前記音出力部から複数チャネルの音信号に基づく音を出力する際に、前記記憶部が記憶する前記範囲情報に基づいて、出力する１または複数のチャネルを選択するとともに出力時の音量を決定する表示装置の制御方法である。
【００１０】
また、本発明の一態様は、画像の切り取り範囲を設定する設定部と、前記設定部によって設定された前記範囲を示す範囲情報を記憶する記憶部と、入力画像に対して前記記憶部が記憶する前記範囲情報に基づく切り取り処理とスケーリング処理とを実行する画像処理部と、前記画像処理部によって画像処理された画像を表示する表示部と、音を出力する音出力部と、前記音出力部を制御する制御部とを備える表示装置を制御するためのプログラムであって、前記制御部によって、前記音出力部から複数チャネルの音信号に基づく音を出力する際に、前記記憶部が記憶する前記範囲情報に基づいて、出力する１または複数のチャネルを選択するとともに出力時の音量を決定する処理を実行させるプログラムである。
【発明の効果】
【００１１】
本発明によれば、表示装置から視聴者までの距離によって音の聴きやすさが異なるという課題を解決することができる。
【図面の簡単な説明】
【００１２】
【図１】本発明の第１実施形態に係るディスプレイの基本的構成を示すブロック図である。
【図２】本発明の第１実施形態に係るマルチディスプレイシステムの構成例を示す模式図である。
【図３】図２に示すマルチディスプレイシステム１の動作例を説明するための模式図である。
【図４】本発明の第２実施形態に係るディスプレイの構成例を示すブロック図である。
【図５】本発明の第２実施形態に係るマルチディスプレイシステムの構成例を示す模式図である。
【図６】図４に示す音声加工部１４の動作例を説明するための模式図である。
【図７】図４に示すディスプレイ１００ａの動作例を説明するための模式図である。
【図８】図４に示すディスプレイ１００ａの動作例を説明するためのフローチャートである。
【図９】本発明の第３実施形態に係るマルチディスプレイシステムの構成例を示す模式図である。
【図１０】図９に示すディスプレイ１００ｂ−（１）〜（４）の動作例を説明するためのフローチャートである。
【発明を実施するための形態】
【００１３】
以下、図面を参照して本発明の実施の形態について説明する。
【００１４】
＜第１実施形態＞
図１（ａ）は、本発明の第１実施形態に係るディスプレイ（表示装置）１００の基本的構成を示すブロック図である。図１（ａ）に示すディスプレイ１００は、設定部１１０と、記憶部１２０と、画像処理部１３０と、表示部１４０と、音出力部１５０と、制御部１６０とを備える。
【００１５】
設定部１１０は、ユーザの所定の操作等に応じて画像の切り取り範囲を設定する。画像の切り取り範囲とは、ディスプレイ１００を複数台用いてマルチディスプレイシステムを構成し、１つの画像を複数のディスプレイ１００に分割して表示する場合に当該ディスプレイ１００で表示する部分画像の範囲を意味する。例えば、図２に示すように９台のディスプレイ１００（ただし、図２ではディスプレイ１００−１〜１００−９として示す。）でマルチディスプレイシステム１を構成した場合、例えば左下に配置されているディスプレイ１００−１における画像の切り取り範囲は、画像を等間隔で３段３列に９分割した場合の左下の領域となる。あるいは、例えば右上に配置されているディスプレイ１００−９における画像の切り取り範囲は、画像を９分割した場合の右上の領域となる。なお、図２は、マルチディスプレイシステム１を視聴者側から見た場合のディスプレイ１００−１〜１００−９の配置例を示す模式図である。
【００１６】
記憶部１２０は、設定部１１０によって設定された画像の切り取り範囲を示す範囲情報１２１を記憶する。範囲情報１２１は、例えば入力画像に対する水平および垂直の分割数を示す情報と分割された部分画像のうちどれを当該ディスプレイ１００で切り取って表示するのかを示す情報とを含んで構成されている。また、範囲情報１２１は、画像の切り取り範囲を示す情報であるとともに、複数のディスプレイ１００間の相対的な位置関係を表す情報でもある。
【００１７】
また、図１（ｂ）に示すように、記憶部１２０は、音出力部１５０のスピーカー等の設置高さを算出するための高さ算出情報１２２をさらに記憶していてもよいし、また、対象とする視聴者の視聴態様を示す視聴態様情報１２３をさらに記憶していてもよい。高さ算出情報１２２は、範囲情報１２１とともにあるいは範囲情報１２１を参照せずに音出力部１５０のスピーカー等の設置高さを算出するための情報である。高さ算出情報１２２は、例えばディスプレイ１００の高さ、ディスプレイ１００における音出力部１５０のスピーカーの位置、マルチディスプレイシステム構成した場合の最下段に位置するディスプレイ１００の地面、床面等の基準面からの高さ、あるいは、各ディスプレイ１００の地面、床面等の基準面からの高さ等の情報を含む。また、視聴態様情報１２３は、視聴者が立った状態での視聴が基本的なのか、視聴者が座った状態での視聴が基本的なのか等の視聴のありさまを示す情報である。
【００１８】
画像処理部１３０は、入力画像に対して記憶部１２０が記憶する範囲情報１２１に基づく切り取り処理１３１とスケーリング処理１３２とを実行する。入力画像は、ディスプレイ１００の外部から入力された画像信号、ディスプレイ１００内部の図示していない放送受信回路が受信した画像信号、外部から通信回線を介して受信された画像データ、ディスプレイ１００内部の記憶装置や記憶媒体から読み出した画像データ等に対応する入力信号である。切り取り処理１３１は、入力画像から範囲情報１２１が示す画像の切り取り範囲を切り取って取り出す処理である。また、スケーリング処理１３２は、切り取り処理１３１によって切り出された画像を、表示部１４０の表示画面の解像度に合わせて拡大または縮小する処理である。
【００１９】
表示部１４０は、液晶パネル、有機エレクトロルミネッセンスパネル等を有する画像表示部であり、画像処理部１３０によって画像処理された画像を表示する。
【００２０】
音出力部１５０は、ステレオ、サラウンド等の複数チャネルの音信号（音声信号、音響信号等を含む）を入力音信号として入力し、入力音信号のうち制御部１６０によって選択されたチャネルの音を、制御部１６０が決定した音量で出力する。音出力部１５０は、デジタル信号をアナログ信号に変換する回路、アナログ信号を制御部１６０が指示した増幅度で増幅する回路、増幅されたアナログ信号を音波に変換するスピーカー等を有する。音出力部１５０は、複数チャネル分の複数のスピーカーを有するものであってもよいし、１つのスピーカーのみを有するものであってもよい。
【００２１】
制御部１６０は、音出力部１５０から複数チャネルの音信号に基づく音を出力する際に、記憶部１２０が記憶する範囲情報１２１に基づいて、出力する１または複数のチャネルを選択するとともに出力時の音量を決定する。制御部１６０は、選択したチャネルを示す情報と決定した音量を示す情報を音出力部１５０へ出力する。
【００２２】
制御部１６０は、音出力部１５０から複数チャネルの音信号に基づく音を出力する際に、記憶部１２０が記憶する範囲情報１２１に基づいて、出力する１または複数のチャネルを例えば次のように選択する。例えば音信号がステレオである場合（すなわち左右２チャネルの音信号である場合）、制御部１６０は、当該制御部１６０を備えるディスプレイ１００が例えば図２に示す左側の列に配置されたディスプレイ１００−１、１００−４または１００−７であるとき、左チャネルの音信号を選択する。また、制御部１６０は、当該制御部１６０を備えるディスプレイ１００が例えば図２に示す右側の列に配置されたディスプレイ１００−３、１００−６または１００−９であるとき、右チャネルの音信号を選択する。また、制御部１６０は、当該制御部１６０を備えるディスプレイ１００が例えば図２に示す中央の列に配置されたディスプレイ１００−２、１００−５または１００−８であるとき、左チャネルまたは右チャネルのいずれか一方の音信号を選択したり、音出力部１５０がステレオスピーカーを有するときには左右両方のチャネルの音信号を選択したり、あるいは選択チャネル無しとしたりすることができる。
【００２３】
また、制御部１６０は、音出力部１５０から複数チャネルの音信号に基づく音を出力する際に、記憶部１２０が記憶する範囲情報１２１に基づいて、出力時の音量を例えば次のように決定する。制御部１６０は、例えば図３（ａ）に示すように、図２に示す中段のディスプレイ１００−４、１００−５および１００−６の音量を標準の音量に決定する。標準の音量とは、例えばユーザによってリモコン等の操作子を用いて設定された音量である。また、制御部１６０は、図２に示す上段のディスプレイ１００−７、１００−８および１００−９の音量を標準の音量より大きな音量に決定する。また、制御部１６０は、図２に示す下段のディスプレイ１００−１、１００−２および１００−３の音量を標準の音量より小さな音量に決定する。なお、図３（ａ）〜（ｃ）は、図２に示すマルチディスプレイシステム１を模式的に示した側面図である。また、図３（ａ）〜（ｃ）には白抜きの矢印で各ディスプレイ１００が出力する音を示すとともに、矢印の長さで各ディスプレイ１００が出力する音の音量の大小を示している。
【００２４】
例えば、図３（ｂ）に示すように、各ディスプレイ１００から標準の音量で均一に音を出力すると、ディスプレイ１００に近接した視聴者４０１は音をうるさく感じ、ディスプレイ１００から離れた視聴者４０２は他の視聴者等が遮音物となって音が聞こえにくいという場合が起こり得る。これに対し、図３（ａ）に示すように、下段のディスプレイ１００−１等の音量を下げ、上段のディスプレイ１００−７等の音量を上げた場合、ディスプレイ１００に近い視聴者４０１が音量をうるさく感じることを防ぎ、また、ディスプレイ１００から離れた視聴者４０２は遮音物がない上段のディスプレイ１００−７等から音が黒矢印で示したようにシャワーのように出力されるので聞こえやすくなる。よって例えば複数の人が滞在する公共の場所等においても、ディスプレイ１００に近接したおよび離れた複数の人に一定の音量を届けることができる。
【００２５】
なお、図３（ｃ）に示すように、ディスプレイ１００の背面に設置されたスピーカーで前方に音が出力されにくい場合でも、各ディスプレイ１００の上下左右から音は回り込み前方に出力されるので、ディスプレイ１００に近接したおよび離れた複数の人に一定の音量を届けることができる。
【００２６】
なお、図２に示したマルチディスプレイシステム１では９つのディスプレイ１００で一つの大画面を構成しているが、例えば５×５（５段５列）などのより数の多いディスプレイ１００で大画面が構成された場合は、下段から上段に向かって各ディスプレイ１００の音量を徐々に増加させても良い。
【００２７】
以上のように、第１実施形態では、音出力部１５０から音を出力する際に、制御部１６０が、記憶部１２０が記憶する範囲情報１２１に基づいて出力時の音量を自動的に決定するので、ディスプレイ１００から視聴者までの距離によって音の聴きやすさが異なるという課題を容易に解決することができる。
【００２８】
なお、第１実施形態では、例えば制御部１６０が、音出力部１５０から複数チャネルの音信号に基づく音を出力する際に、記憶部１２０が記憶する範囲情報１２１に基づいて、出力する１または複数のチャネルを選択するとともに、記憶部１２０が記憶する範囲情報１２１と記憶部１２０が記憶する高さ算出情報１２２とを用いて算出された設置高さに基づいて出力時の音量を決定するようにしてもよい。この構成では、例えば、各ディスプレイ１００の設置の高さが、地面や床面等の視聴者が位置する面の高さより低いような場合に、例えば上段に配置されたディスプレイ１００の音量を下げ、下段に配置されたディスプレイ１００の音量を上げるといった設定を採用することができる。
【００２９】
また、第１実施形態では、例えば制御部１６０が、音出力部１５０から複数チャネルの音信号に基づく音を出力する際に、記憶部１２０が記憶する範囲情報１２１に基づいて、出力する１または複数のチャネルを選択するとともに、記憶部１２０が記憶する範囲情報１２１と記憶部１２０が記憶する高さ算出情報１２２とを用いて算出された設置高さと記憶部１２０が記憶する視聴態様情報１２３とに基づいて出力時の音量を決定するようにしてもよい。この構成では、例えば、対象とする視聴者が主に座っている場合と立っている場合のように視聴態様の違いに応じて上段や下段のディスプレイ１００の音量の上げ下げの量を変化させることができる。
【００３０】
＜第２実施形態＞
図４は、本発明の第２実施形態に係るディスプレイ１００ａの構成例を示すブロック図である。また、図５は、図４に示す９台のディスプレイ１００ａ（ただし、図５ではディスプレイ１００ａ−（１）〜１００ａ−（９）として示す。）で構成したマルチディスプレイシステム１ａを視聴者側から見た場合の各ディスプレイ１００ａの配置例を示す模式図である。図４に示すディスプレイ１００ａは、映像切取部１１と、スケーラー部１２と、画像表示部１３と、音声加工部１４と、左音声出力部１５と、右音声出力部１６と、映像切取範囲指示部１７と、音声制御部１８と、制御部１９と、メモリ２０と、インターフェース２１とを備える。図５に示すマルチディスプレイシステム１ａは、３段３列に配列された９台のディスプレイ１００ａ−（１）〜１００ａ−（９）で１つの画面を構成する。ディスプレイ１００ａ−（１）〜１００ａ−（９）に対しては、図４に示す音声・映像信号発生装置２００が出力した映像・音声信号が分配器によって複製されて同じ信号が入力される。ただし、ＤｉｓｐｌａｙＰｏｒｔ（ディスプレイポート）等のディジーチェーンのマルチストリーム接続を用いた場合は、各々のディスプレイ１００ａは分配器を使用せずＤｉｓｐｌａｙＰｏｒｔケーブルを数珠つなぎに接続することで同じ信号を受信することができる。
【００３１】
なお、本願において音声は、人の発する声と声以外の音の両方を含むものとする。すなわち本願においては、第１実施形態で用いた用語「音」と第２実施形態で用いる用語「音声」は同義である。また、第１実施形態で用いた用語「画像」と第２実施形態で用いる用語「映像」は同義である。
【００３２】
また、第１実施形態と第２実施形態の各構成の対応関係は次のとおりである。第１実施形態の設定部１１０は、第２実施形態のインターフェース２１と制御部１９に対応する。第１実施形態の記憶部１２０は、第２実施形態のメモリ２０に対応する。第１実施形態の画像処理部１３０は、第２実施形態の映像切取部１１とスケーラー部１２に対応する。第１実施形態の表示部１４０は、第２実施形態の画像表示部１３に対応する。第１実施形態の音出力部１５０は、第２実施形態の音声加工部１４と左音声出力部１５と右音声出力部１６に対応する。第１実施形態の制御部１６０は、第２実施形態の映像切取範囲指示部１７と音声制御部１８と制御部１９に対応する。
【００３３】
ディスプレイ１００ａには、音声・映像信号発生装置２００から映像信号と複数チャネルの音声信号が入力される。音声・映像信号発生装置２００は、例えば、音声・映像信号の撮影装置、受信装置や再生装置である。映像切取部１１は、入力された映像信号から映像切取範囲指示部１７によって指示された範囲の映像を切り取り、切り取った範囲の映像信号を出力する。スケーラー部１２は、映像切取部１１が切り取った範囲の映像を画像表示部１３の解像度に合わせて拡大または縮小して出力する。画像表示部１３は、スケーラー部１２が出力した映像信号を表示する。
【００３４】
音声加工部１４は、音声制御部１８の指示に従い、複数チャネルの音声信号から指示された１または複数のチャネルを選択し、選択したチャネルの音声信号を左音声出力部１５または右音声出力部１６へ出力する。ここで図６を参照して音声加工部１４の動作例について説明する。図６は、図５に示す音声加工部１４の動作例を説明するための模式図である。なお、図６に示す動作例では、音声加工部１４に対してステレオの音声信号が入力されることとしている。図６（ａ）に示すケース１では、音声加工部１４が左チャネルの音声と右チャネルの音声の両方を選択し、左チャネルの音声を左音声出力部１５へ出力し、右チャネルの音声を右音声出力部１６へ出力する。この図６（ａ）に示すケース１の動作状態が初期設定状態（電源起動時の状態）であるとする。図６（ｂ）に示すケース２では、音声加工部１４が左チャネルの音声のみを選択し、左チャネルの音声を左音声出力部１５と右音声出力部１６へ出力する。図６（ｃ）に示すケース３では、音声加工部１４が右チャネルの音声のみを選択し、右チャネルの音声を左音声出力部１５と右音声出力部１６へ出力する。
【００３５】
左音声出力部１５は、左スピーカーを有して構成されていて、音声加工部１４が出力した音声信号を入力し、音声制御部１８によって指示された音量で左スピーカーで音波に変換して出力する。右音声出力部１６は、右スピーカーを有して構成されていて、音声加工部１４が出力した音声信号を入力し、音声制御部１８によって指示された音量で右スピーカーで音波に変換して出力する。なお、図５では、ディスプレイ１００ａ−（１）〜１００ａ−（９）が有する各左音声出力部１５を左スピーカー１Ｌ〜９Ｌとして示している。また、ディスプレイ１００ａ−（１）〜１００ａ−（９）が有する各右音声出力部１６を右スピーカー１Ｒ〜９Ｒとして示している。以下では、左スピーカー１Ｌ〜９Ｌおよび右スピーカー１Ｒ〜９Ｒをスピーカー１Ｌ〜９Ｌおよびスピーカー１Ｒ〜９Ｒとも呼ぶ。
【００３６】
映像切取範囲指示部１７は、制御部１９を介して入力したメモリ２０に記憶されている所定の設定情報を示す信号等に基づき、映像切取部１１に対して映像の切り取り範囲を指示する信号を生成して出力する。音声制御部１８は、映像切取範囲指示部１７から入力した映像の切り取り範囲を指示する信号と制御部１９から入力したメモリ２０に記憶されている所定の設定情報を示す信号等に基づき、音声加工部１４に対して選択する１または複数のチャネルと選択したチャネルの音声信号の出力先を指示する信号を生成して出力するとともに、左音声出力部１５および右音声出力部１６に対して音声出力の音量を指示する信号を生成して出力する。
【００３７】
制御部１９は、インターフェース２１を介して入力したＯＳＤ（オンスクリーンディスプレイ）コントロール信号に基づき、マルチディスプレイに関する設定情報を入力し、入力した設定情報をメモリ２０に記憶する。メモリ２０は、設定情報等を記憶する例えば書き換え可能な不揮発性記憶装置を含んで構成されている。なお、第２実施形態において設定情報は、マルチディスプレイシステム１ａを構成する水平ディスプレイ数（列数）と垂直ディスプレイ数（段数）と映像切り取り位置（あるいは映像切り取り範囲）を示す情報を含む。インターフェース２１は、例えば制御部１９がＯＳＤ機能を制御する場合には、ユーザが操作したリモコン等の操作子の操作情報をＯＳＤコントロール信号として入力する。あるいは、インターフェース２１は、制御部１９とは異なる図示していない他の制御部がＯＳＤ機能を制御する場合には、ユーザによる所定の操作子の操作結果に応じて決定されたパラメータの内容を示す情報をＯＳＤコントロール信号として入力する。
【００３８】
ここで、図６を参照してＯＳＤを用いた設定情報の入力動作について説明する。図６は、画像表示部１３の表示画面（表示画像）１３ａの一例を示す図である。図６に示す表示画面１３ａは、設定メニュー１３０１を含む。この場合、設定メニュー１３０１は、マルチディスプレイ設定画面１３０３を表示させるための項目１３０２を含む。マルチディスプレイ設定画面１３０３は、設定メニュー１３０１から項目１３０２が選択された場合に表示される。マルチディスプレイ設定画面１３０３は、水平ディスプレイ数（列数）と垂直ディスプレイ数（段数）と映像切り取り位置を設定するための入力欄１３０４と、入力欄１３０４の設定内容を表示する複数のアイコン１３０５を含む。アイコン１３０５は、例えばディスプレイ１００ａを模したイラストである。映像切り取り位置は、当該ディスプレイ１００ａで表示する映像の切り取り範囲の位置を表す。各アイコン１３０５は各ディスプレイ１００ａに対応し、各アイコン１３０５の配置位置は各ディスプレイ１００ａにおける映像の切り取り範囲に対応している。また、各アイコン１３０５は、映像切り取り位置を選択するための表示情報（この例では「（１）」〜「（９）」）を含んでいる。各アイコン１３０５が含む表示情報は、文字、数字や記号とすることができる。また、当該ディスプレイ１００ａにおける映像切り取り位置に対応するアイコン１３０５は、他のアイコン１３０５から識別できるように強調表示されている。強調表示は、例えば表示色が他のアイコン１３０５と異なる表示であったり、点滅するような状態での表示であったりする。図６に示す例では、入力欄１３０４において、水平ディスプレイ数が「３」、垂直ディスプレイ数が「３」、そして、映像切り取り位置が「（５）」と指定されている。このため、マルチディスプレイ設定画面１３０３は、列数Ｎ１が３で、段数Ｎ２が３となるように配列された９個のアイコン１３０５を含んでいる。また、当該ディスプレイ１００ａでは、入力画像を縦横に各３分割した９個の部分領域の内の中央の部分領域が切り取り範囲に設定されていて、対応する表示情報が「（５）」のアイコンが強調表示されている。なお、列数Ｎ１は入力欄１３０４の水平ディスプレイ数が変更された場合にそれに合わせて増減し、列数Ｎ２は入力欄１３０４の垂直ディスプレイ数が変更された場合にそれに合わせて増減する。また、入力欄１３０４の映像切り取り位置が変更された場合には、位置が異なるアイコン１３０５が強調表示される。
【００３９】
次に、図８を参照して、図４に示すディスプレイ１００ａの動作例について説明する。図８は、図４に示すディスプレイ１００ａの動作例を示すフローチャートである。なお、ディスプレイ１００ａは、図５に示すように設置されていて他の複数のディスプレイ１００ａとともにマルチディスプレイシステム１ａを構成しているものとする。また、図８に示す処理は例えばディスプレイ１００ａの電源起動時に実行される。
【００４０】
まず、各ディスプレイ１００ａでは、１つの大きな画面を構成するために、図７に示す各ディスプレイ１００ａのＯＳＤに表示されるマルチディスプレイ設定画面１３０３にてマルチディスプレイの水平方向のディスプレイの数と、垂直方向のディスプレイの数と、映像を切り取り拡大する範囲の情報（切取範囲情報とも呼ぶ）が設定される（ステップＳ１０１）。ステップＳ１０１で設定されたこれらの設定情報は制御部１９によってメモリ２０に記憶される。以後、内容に変更が無い場合には再度のステップＳ１０１の設定は省略することができる。
【００４１】
次に、映像切取範囲指示部１７が、制御部１９を介してメモリ２０に記憶されている設定情報を取得し、取得した設定情報に基づいて映像切取部１１に対して映像の切り取り範囲を指示する（ステップＳ１０２）。以後、映像切取部１１は、映像切取範囲指示部１７が指示した入力映像の切取範囲に従って映像を切り取る処理を実行する。また、スケーラー部１２は、映像切取部１１によって切り取られた映像を画像表示部１３のパネルの解像度に合わせて拡大または縮小するよう制御部１９等によって設定される（ステップＳ１０３）。
【００４２】
また、ステップＳ１０２およびＳ１０３の処理と並行して音声制御部１８が、制御部１９を介してメモリ２０に記憶されている切取範囲情報を入手し（ステップＳ１０４）、当該ディスプレイ１００ａがマルチディスプレイシステム１ａにおける上段のディスプレイか否かを判定する（ステップＳ１０５）。上段のディスプレイである場合（ステップＳ１０５でＹｅｓの場合）、音声制御部１８は、左音声出力部１５および右音声出力部１６に対してスピーカーの音量を上げる指示を出力する（ステップＳ１０９）。上段のディスプレイでない場合（ステップＳ１０５でＮｏの場合）、音声制御部１８は、当該ディスプレイ１００ａが中段のディスプレイか否かを判定する（ステップＳ１０６）。中段のディスプレイである場合（ステップＳ１０６でＹｅｓの場合）、音声制御部１８は、左音声出力部１５および右音声出力部１６に対してスピーカーの音量を変更しないよう指示する（あるいは音量を変更する指示を出力しない）（ステップＳ１０８）。中段のディスプレイでない場合（ステップＳ１０６でＮｏの場合）、音声制御部１８は、左音声出力部１５および右音声出力部１６に対してスピーカーの音量を下げる指示を出力する（ステップＳ１０７）。
【００４３】
次に、音声制御部１８は、当該ディスプレイ１００ａがマルチディスプレイシステム１ａにおける左側のディスプレイか否かを判定する（ステップＳ１１０）。左側のディスプレイである場合（ステップＳ１１０でＹｅｓの場合）、音声制御部１８は、音声加工部１４に対して、右スピーカーを左音声に切り替えるよう指示するとともに（ステップＳ１１１）、左音声を左右両方のスピーカーから出力するよう指示する（ステップＳ１１２）。ステップＳ１１１とステップＳ１１２における音声制御部１８からの指示によって、音声加工部１４は、以後、図６（ｂ）に示すケース２の設定状態で音声信号を入出力する。
【００４４】
一方、左側のディスプレイでない場合（ステップＳ１１０でＮｏの場合）、音声制御部１８は、当該ディスプレイ１００ａがマルチディスプレイシステム１ａにおける右側のディスプレイか否かを判定する（ステップＳ１１３）。右側のディスプレイである場合（ステップＳ１１３でＹｅｓの場合）、音声制御部１８は、音声加工部１４に対して、左スピーカーを右音声に切り替えるよう指示するとともに（ステップＳ１１４）、右音声を左右両方のスピーカーから出力するよう指示する（ステップＳ１１５）。ステップＳ１１４とステップＳ１１５における音声制御部１８からの指示によって、音声加工部１４は、以後、図６（ｃ）に示すケース３の設定状態で音声信号を入出力する。
【００４５】
第２実施形態では、図８を参照して説明した動作によって、左音声出力部１５および右音声出力部１６が発する音量が自動的に切替えられる。具体的にはマルチディスプレイ構成において、下段に設置されたディスプレイ１００ａの音量が自動的に下げられ、上段に設置されたディスプレイ１００ａの音声が自動的に上げられる。そうすることで図５に示すように１つの画像を９分割するマルチディスプレイの例では、例えば人の高さに近い下段のディスプレイ１００ａ−（１）、（２）および（３）のスピーカー１Ｌ、１Ｒ、２Ｌ、２Ｒ、３Ｌおよび３Ｒからは音声出力が自動的に小さく出力される。また、例えば人の高さより高い上段のディスプレイ１００ａ−（７）、（８）および（９）のスピーカー７Ｌ、７Ｒ、８Ｌ、８Ｒ、９Ｌおよび９Ｒからは音声出力が自動的に大きく出力される。
【００４６】
その結果、図３（ａ）を参照して上述したように、マルチディスプレイに近い人が音量をうるさく感じることを防ぎ、また、マルチディスプレイから離れた人は遮音物がないマルチディスプレイ上段から音声がシャワーのように出力されるので聞こえやすくなる。よって例えば複数の人が滞在する公共の場所においても、ディスプレイに近接したおよび離れた複数の人に一定の音量を届けることができる。なお、図５に示したマルチディスプレイシステム１ａでは９つのディスプレイ１００ａ−（１）〜（９）で大画面を構成しているが、例えば５×５などのより数の多いマルチディスプレイで構成されていた場合は、下段から上段に向かって各ディスプレイの音量を徐々に増加させても良い。
【００４７】
また、図３（ｃ）を参照して上述したように、背面に設置されたスピーカーで前方に音が出力されにくい場合でも、マルチディスプレイの上下左右から音声は回り込み前方に出力されるので、ディスプレイに近接したおよび離れた複数の人に一定の音量を届けることができる。
【００４８】
また、第２実施形態では、図８を参照して説明した動作によって、左音声出力部１５および右音声出力部１６が発する音声のチャネルが自動的に切替えられる。音声加工部１４は、通常は図６（ａ）に示すケース１の状態である。一方、図５に示すマルチディスプレイ設置状態で左側に設置されたディスプレイ１００ａ−（１）、（４）および（７）では、音声加工部１４は図６（ｂ）に示すケース２の状態となる。また、図５において右側に設置されたディスプレイ１００ａ−（３）、（６）および（９）では音声加工部１４は図６（ｃ）に示すケース３の状態となる。そうすることで図５に示すように１つの画像を９分割するマルチディスプレイの例では、左側のディスプレイ１００ａ−（１）、（４）および（７）では入力されるステレオ音声の左チャネルの音声が右スピーカー１Ｒ、４Ｒおよび７Ｒに供給されて左右のスピーカーがともに左チャネルの音声を出力する。また、右側のディスプレイ１００ａ−（３）、（６）および（９）では入力されるステレオ音声の右チャネルの音声が左スピーカー３Ｌ、６Ｌおよび９Ｌに供給されて左右のスピーカーがともに右チャネルの音声を自動的に出力する。また、中列のディスプレイ１００ａ−（２）、（５）および（８）では入力されるステレオ音声が左右のスピーカーから左チャネルの音声と右チャネルの音声を出力することができる。その結果、マルチディスプレイ設定でも自然なステレオの音声を聞くことができる。なお、図５に示したマルチディスプレイシステム１ａでは９つのディスプレイで大画面を構成しているが、２×２または、例えば１０×１０などのより数の多いマルチディスプレイで構成されても良い。また、縦横奇数のマルチディスプレイに限らず偶数のマルチディスプレイで構成されても良い。
【００４９】
以上のように、第２実施形態では、音声制御部１８が、左音声出力部１５および右音声出力部１６から音声を出力する際に、メモリ２０が記憶する設定情報に基づいて出力時の音量を自動的に決定するので、ディスプレイ１００ａから視聴者までの距離によって音の聴きやすさが異なるという課題を容易に解決することができる。
【００５０】
＜第３実施形態＞
次に、図９および図１０を参照して本発明の第３実施形態に係るディスプレイ１００ｂおよびマルチディスプレイシステム１ｂの構成例について説明する。図９は、第３実施形態に係るマルチディスプレイシステム１ｂを視聴者側から見た場合の４台のディスプレイ１００ｂ（ただし図９ではディスプレイ１００ｂ−（１）〜（４）としている）の配置例を示す模式図である。ディスプレイ１００ｂ−（１）は左側下段に配置され、ディスプレイ１００ｂ−（２）は右側下段に配置され、ディスプレイ１００ｂ−（３）は左側上段に配置され、そして、ディスプレイ１００ｂ−（４）は左側上段に配置されている。この場合、中段にはディスプレイは配置されていない。第３実施形態では、第２実施形態の音声加工部１４に対応する構成である音声加工部１４ｂの構成および動作と、音声加工部１４ｂを制御する構成である音声制御部１８（図９では不図示のため図４を参照）の動作が異なる。なお、第３実施形態においても音声制御部１８については第２実施形態と同一符号を用いて説明を行う。
【００５１】
第３実施形態のディスプレイ１００ｂは、第２実施形態のディスプレイ１００ａと比較して次の点が異なる。すなわち、第２実施形態のディスプレイ１００ａに対してはステレオの音声信号（２チャネルの音声信号）が入力されるのに対し、第３実施形態のディスプレイ１００ｂに対しては、サラウンドの音声信号（３チャネル以上の音声信号）が入力される。例えば、高精細度マルチメディアインターフェースなどを用いた場合、例えば５．１ｃｈサウンドシステムの音声をデジタル信号で伝送することができる。これらの音声信号は左右のサラウンド音声信号と左右のフロント音声信号を持つ。第３実施形態の音声加工部１４ｂは、入力されるデジタル音声信号を、左サラウンド音声ＬＳ、左フロント音声ＬＦ、右サラウンド音声ＲＳ、および右フロント音声ＲＦの４つの音声チャネルに分割する機能を有する。これら分割された音声はマルチディスプレイ構成時に設定される各ディスプレイ１００ｂの位置情報を活用し、図１０に示すフローチャートに従い、自動的に音声加工部１４ｂにおける入出力が切替えられ、左音声出力部１５および右音声出力部１６に対して出力される。
【００５２】
第３実施形態では、図９に示すように、左上に配置されているディスプレイ１００ｂ−（３）の音声加工部１４ｂは、入力音声に含まれる左サラウンドスピーカー音声ＬＳを選択して、左音声出力部１５および右音声出力部１６に対して出力する。左下に配置されているためディスプレイ１００ｂ−（１）の音声加工部１４ｂは、入力音声に含まれる左フロントスピーカー音声ＬＦを選択して、左音声出力部１５および右音声出力部１６に対して出力する。右上に配置されているディスプレイ１００ｂ−（４）の音声加工部１４ｂは、入力音声に含まれる右サラウンドスピーカー音声ＲＳを選択して、左音声出力部１５および右音声出力部１６に対して出力する。右下に配置されているためディスプレイ１００ｂ−（２）の音声加工部１４ｂは、入力音声に含まれる右フロントスピーカー音声ＲＦを選択して、左音声出力部１５および右音声出力部１６に対して出力する。
【００５３】
また、第３実施形態では、図４に示す音声制御部１８の一部の処理内容が図１０に示すように変更されている。すなわち、図４に示すステップＳ１１０〜ステップＳ１１５の処理に代えて、第３実施形態の音声制御部１８（図４）は、図１０に示すステップＳ２０１〜ステップＳ２０７の処理を実行する。図４と図１０において他の処理は同一であるため説明を省略する。
【００５４】
図１０においてステップＳ１０７、Ｓ１０８またはＳ１０９の処理が終了すると、音声制御部１８は、当該ディスプレイ１００ｂが左側のディスプレイであるか否かを判定する（ステップＳ２０１）。当該ディスプレイ１００ｂが左側のディスプレイである場合（ステップＳ２０１でＹｅｓの場合）、音声制御部１８は、当該ディスプレイ１００ｂが上側のディスプレイであるか否かを判定する（ステップＳ２０２）。当該ディスプレイ１００ｂが上側のディスプレイである場合（ステップＳ２０２でＹｅｓの場合）、音声制御部１８は、音声加工部１４ｂに対して、右スピーカーの入力を、音声加工部１４ｂの左音声出力に切り替えて接続し、さらに左サラウンドスピーカー音声ＬＳをその左音声出力から出力することで、左サラウンドスピーカー音声ＬＳのみを左音声出力部１５および右音声出力部１６へ出力するよう指示する（ステップＳ２０３）。当該ディスプレイ１００ｂが上側のディスプレイでない場合（ステップＳ２０２でＮｏの場合）、音声制御部１８は、音声加工部１４ｂに対して、右スピーカーの入力を、音声加工部１４ｂの左音声出力に切り替えて接続し、さらに左フロントスピーカー音声ＬＦをその左音声出力から出力することで、左フロントスピーカー音声ＬＦのみを左音声出力部１５および右音声出力部１６へ出力するよう指示する（ステップＳ２０４）。
【００５５】
一方、当該ディスプレイ１００ｂが左側のディスプレイでない場合（ステップＳ２０１でＮｏの場合）、音声制御部１８は、当該ディスプレイ１００ｂが上側のディスプレイであるか否かを判定する（ステップＳ２０５）。当該ディスプレイ１００ｂが上側のディスプレイである場合（ステップＳ２０５でＹｅｓの場合）、音声制御部１８は、音声加工部１４ｂに対して、左スピーカーの入力を、音声加工部１４ｂの右音声出力に切り替えて接続し、さらに右サラウンドスピーカー音声ＲＳをその右音声出力から出力することで、右サラウンドスピーカー音声ＲＳのみを左音声出力部１５および右音声出力部１６へ出力するよう指示する（ステップＳ２０６）。当該ディスプレイ１００ｂが上側のディスプレイでない場合（ステップＳ２０５でＮｏの場合）、音声制御部１８は、音声加工部１４ｂに対して、左スピーカーの入力を、音声加工部１４ｂの右音声出力に切り替えて接続し、さらに右フロントスピーカー音声ＲＦをその右音声出力から出力することで、右フロントスピーカー音声ＲＦのみを左音声出力部１５および右音声出力部１６へ出力するよう指示する（ステップＳ２０７）。
【００５６】
第３の実施形態では、図１０に示すように音声制御部１８を動作させることで、図９に示す各ディスプレイ１００ｂにおいて、左上のディスプレイ１００ｂ−（３）の左右のスピーカーから左サラウンドスピーカー音声ＬＳを音量を上げて出力し、左下のディスプレイ１００ｂ−（１）の左右のスピーカーから左フロントスピーカー音声ＬＦを音量を下げて出力する。また、右上のディスプレイ１００ｂ−（４）の左右のスピーカーから右サラウンドスピーカー音声ＲＳを音量を上げて出力し、そして、右下のディスプレイ１００ｂ−（２）の左右のスピーカーから右フロントスピーカー音声ＲＦを音量を下げて出力することができる。
【００５７】
なお、第３実施形態は４台のディスプレイ１００ｂでマルチディスプレイを構成する例として挙げたが、第３実施形態の音声制御部１８の処理内容を一部変更することで、例えば、図５に示すような１つの画像を９分割するマルチディスプレイにおいて次のようにサラウンド音声を再生することができる。すなわち、左下のディスプレイのスピーカー１Ｌと１Ｒから５．１ｃｈサウンドシステムの左フロントスピーカー音声を出力し、右下のディスプレイのスピーカー３Ｌと３Ｒから右フロントスピーカー音声を出力し、左上のディスプレイのスピーカー７Ｌと７Ｒから左サラウンドスピーカー音声を出力し、右上のディスプレイのスピーカー９Ｌと９Ｒから右サラウンドスピーカー音声を自動的に出力することができる。この場合、視聴者は上段左右のスピーカーから出力されたサラウンド音声を上部または反射により周囲から聞くことができ、また下段左右のスピーカーから出力されるメイン音声を前方から聞くことができ、マルチディスプレイ設定で自然なサラウンド音声を聞くことができる。
【００５８】
以上のように、第３実施形態では、音声制御部１８が、左音声出力部１５および右音声出力部１６から音声を出力する際に、メモリ２０が記憶する設定情報に基づいて出力時の音量を自動的に決定するので、ディスプレイ１００ｂから視聴者までの距離によって音の聴きやすさが異なるという課題を容易に解決することができる。
【００５９】
なお、本発明の実施形態は上記のものに限定されない。本発明の実施形態は、例えばマルチディスプレイに関する範囲情報１２１等の情報の設定を携帯端末、パーソナルコンピュータ等を用いて行うものであってもよい。また、例えば、図１に示す制御部１６０、図４に示す映像切取範囲指示部１７、音声制御部１８、制御部１９等の構成は、コンピュータとそのコンピュータで実行されるプログラムとを用いて構成することができる。その場合のプログラムの一部または全部はコンピュータ読取可能な記録媒体や通信回線を介して頒布することができる。
【符号の説明】
【００６０】
１、１ａ、１ｂ  マルチディスプレイシステム
１００、１００ａ、１００ｂ  ディスプレイ
１１０  設定部
１２０  記憶部
１２１  範囲情報
１３０  画像処理部
１４０  表示部
１５０  音出力部
１６０  制御部
【図１】
2018037754.tif 000003
【図２】
2018037754.tif 000004
【図３】
2018037754.tif 000005
【図４】
2018037754.tif 000006
【図５】
2018037754.tif 000007
【図６】
2018037754.tif 000008
【図７】
2018037754.tif 000009
【図８】
2018037754.tif 000010
【図９】
2018037754.tif 000011
【図１０】
2018037754.tif 000012